(57)【要約】【課題】  他機器の使用状況を表示しつつ、呼び出しの種別を区別するとともに、他機器が使用されない場合でも他機器用表示灯を有効に活用する。【解決手段】  患者の特定の状態を検出する他機器を接続するための他機器用接続端子を子機と共に設け、通常表示灯Ｌ１と他機器用表示灯Ｌ２とを設けた選局部２６を並べて病室領域を形成する。子機からの呼び出しについては、対応する選局部２６の通常表示灯Ｌ１のみを点滅させ、他機器からの呼び出しについては、対応する選局部２６の通常表示灯Ｌ１および他機器用表示灯Ｌ２を点滅させて、特定のスペースに設置された専用の子機からの呼び出しについては、病室領域内のすべての選局部２６の他機器用表示灯Ｌ２を点滅させるようにしている。また、呼び出しが行われていない状態で、他機器用接続端子に他機器が接続されている場合には、対応する選局部２６の他機器用表示灯Ｌ２を点灯させるようにしている。【選択図】  図３
2010233628.tif 000002
【特許請求の範囲】
【請求項１】
病床の近傍に設置され、同じ病室内に居る複数の患者がそれぞれ使用するナースコール子機と、前記ナースコール子機とともに設置され、前記患者の特定の状態を検出するための他機器を接続するための他機器用接続端子と、前記病室内の特定のスペースに設置される専用のナースコール子機と、前記ナースコール子機、前記他機器、および、前記専用のナースコール子機からの呼び出しの発生を報知するナースコール親機とを備えたナースコールシステムであって、
前記ナースコール子機は、前記患者による呼び出しを検出する子機呼出操作部と、前記ナースコール親機との間で通信を行う子機インターフェースと、前記呼出操作部が前記呼び出しを検出することにより子機呼出信号を生成して前記子機インターフェースにより前記ナースコール親機へ出力する子機制御部とを備え、
前記他機器用接続端子は、前記ナースコール親機との間で通信を行うインターフェースと、接続された前記他機器が前記患者の特定の状態を検出することにより他機器呼出信号を生成して前記インターフェースにより前記ナースコール親機へ出力する制御部とを備え、
前記専用のナースコール子機は、前記患者による呼び出しを検出する専用子機呼出操作部と、前記ナースコール親機との間で通信を行う専用子機インターフェースと、前記専用子機呼出操作部が前記呼び出しを検出することにより専用子機呼出信号を生成して前記専用子機インターフェースにより前記ナースコール親機へ出力する専用子機制御部とを備え、
前記ナースコール親機は、前記病室内に設置されたナースコール子機にそれぞれ対応し、縦および横の少なくとも一つの方向に並べて一つの病室領域を形成して、前記呼び出しを報知するために点滅する通常表示灯および他機器用表示灯を有する選局部と、前記ナースコール子機、前記他機器、および、前記専用のナースコール子機との間で通信を行う親機インターフェースと、前記親機インターフェースが前記子機呼出信号を入力した場合に、前記子機呼出信号を出力したナースコール子機に対応する選局部の通常表示灯を点滅させ、前記親機インターフェースが前記他機器呼出信号を入力した場合に、対応する選局部の通常表示灯および他機器用表示灯を点滅させて、前記親機インターフェースが前記専用子機呼出信号を入力した場合に、前記専用子機呼出信号を出力した専用のナースコール子機が設置された病室に設置されているすべてのナースコール子機に対応する選局部の他機器用表示灯を点滅させるとともに、呼び出しが行われていない状態では、前記他機器が接続されている他機器用接続端子に対応する選局部の他機器用表示灯を点灯させる親機制御部とを備えたことを特徴とするナースコールシステム。
【発明の詳細な説明】
【技術分野】
【０００１】
本発明は、患者が看護師などの医療従事者を呼び出すだけではなく、患者の状態に応じて医療従事者を呼び出すことができるナースコールシステムに関する。
【背景技術】
【０００２】
一般的に、ナースコールシステムは、呼出ボタンを有するナースコール子機を各病室内の各病床の近傍に設置するとともに、看護師などの医療従事者が常駐するナースセンタにナースコール親機を設置している。そして、患者がナースコール子機の呼出ボタンを操作した場合に、ナースコール子機からナースコール親機へ呼出信号を出力し、呼出信号を入力したナースコール親機にて呼び出しの発生を報知するように構成されている。ここで、ナースコールシステムは、病院だけではなく、介護施設などでも使用される。
【０００３】
ナースコール親機には、ＬＥＤ（light-emitting  diode）などの表示灯と患者氏名を表示する表示欄とを備えた選局部を患者の数に応じて組み合わせたボード形のものが知られている。ボード形のナースコール親機は、ナースセンタの壁面などに取り付けられ、ナースセンタ内の医療従事者がボード形親機に表示された情報を閲覧することが可能である。ここで、ナースコール子機から出力された呼出信号を入力したナースコール親機では、呼出信号に含まれ、ナースコール子機を識別するための子機識別情報により呼び出しを行ったナースコール子機を特定する。そして、特定されたナースコール子機を使用している患者に対応する選局部の表示灯を点灯または点滅させることで呼び出しの発生の報知を行っている。
【０００４】
ナースコール親機にて呼び出しの発生が報知されると、これに気付いた医療従事者が応答する必要がある。そのため、ナースコール親機には、呼び出しの発生の報知に応答するためのハンドセットが設けられている。呼び出しの発生が報知されている場合に、医療従事者がハンドセットをオフフックすると、呼び出しの発生の報知が停止し、ナースコール親機とナースコール子機（またはナースコール子機が設置された病室）との間で通話路が形成される。ここで、ナースコール子機（または病室）には、通話用のスピーカやマイクが設けられているため、患者と医療従事者との間で通話が可能となる。
【０００５】
ところで、患者の状態によっては、呼出ボタンの操作により呼び出しを行うナースコール子機だけではなく、患者がベッドから転落または転倒したことを検出するマットセンサーや、患者に異常が生じたことを検出するためのセンサーまたは医療機器などが必要となるケースがある。そのため、各病床の近傍の壁面には、ナースコール子機を接続する接続端子だけではなく、患者に異常が生じたことを検出するための機器（以下、他機器と記載する）を接続するための接続端子を設ける必要がある。
【０００６】
このように、ナースコール子機とともに他機器をナースコールシステムに接続した場合、ナースコール子機からの呼び出しと他機器からの呼び出しとを区別する必要がある。そこで、ナースコール親機に種別灯を設け、点灯した種別灯によって呼び出しを行った機器を特定する技術が知られている（例えば、特許文献１、特許文献２など）。
【０００７】
しかしながら、特許文献１および特許文献２に記載の技術によれば、何れも種別灯が一組しか存在しないため、ナースコール子機や他機器から同時に呼び出しがあった場合に、その種別を区別することができないという問題があった。また、他機器を接続するための接続端子を各病床の近傍に設けた場合でも、すべての患者が他機器を必要とするわけではないので、それぞれの患者が他機器を使用しているか否かを表示する必要がある。そのため、ボード形のナースコール親機の各選局部に設けられている表示灯（以下、通常表示灯と記載する）に加えて、他機器の使用状況を示す他機器用表示灯を各選局部に設けることが考えられる。これにより、ナースコール子機からの呼び出しについては通常表示灯を使用し、他機器からの呼び出しについては他機器用表示灯を使用することで、ナースコール子機や他機器から同時に呼び出しがあった場合でも、その種別を区別することができる。また、他機器を使用している患者の選局部の他機器用表示灯を常時点灯させるなどして、それぞれの患者が他機器を使用しているか否かを表示することができる。
【先行技術文献】
【特許文献】
【０００８】
【特許文献１】特開２００９−２１９６７号公報
【特許文献２】特開平１１−２９０４００号公報
【発明の概要】
【発明が解決しようとする課題】
【０００９】
しかしながら、上述したようにすべての患者が他機器を使用するわけではないので、各選局部に他機器用表示灯を設けてしまうと、全く使用されない他機器用表示灯が存在したり、他機器を使用しないナースコールシステムでは他機器用表示灯が全く使用されなくなったりしてしまうという問題があった。
【００１０】
本発明は、このような問題を解決するために成されたものであり、他機器の使用状況を表示しつつ、ナースコール子機や他機器からの呼び出しを区別できるようにするとともに、他機器が使用されない場合でも他機器用表示灯を有効に活用できるようにすることを目的とする。
【課題を解決するための手段】
【００１１】
上述した課題を解決するために、本発明では、病室内の病床の近傍にナースコール子機を設置し、患者の特定の状態を検出する他機器を接続するための他機器用接続端子をナースコール子機とともに設ける。そして、病床にそれぞれ対応する選局部に通常表示灯および他機器用表示灯を設け、縦および横の少なくとも一つの方向に並べて一つの病室領域を形成する。この状態で、ナースコール子機からの呼び出しについては、対応する選局部の通常表示灯のみを点滅させ、他機器用接続端子に接続された他機器からの呼び出しについては、対応する選局部の通常表示灯および他機器用表示灯を点滅させて、同じ病室内のトイレや浴室などの特定のスペースに設置された専用のナースコール子機からの呼び出しについては、病室領域内のすべての選局部の他機器用表示灯を点滅させるようにしている。また、呼び出しが行われていない状態で、他機器用接続端子に他機器が接続されている場合には、対応する選局部の他機器用表示灯を点灯させるようにしている。
【発明の効果】
【００１２】
上記のように構成した本発明によれば、ナースコール子機からの呼び出し時には通常表示灯が点滅し、他機器からの呼び出し時には通常表示灯および他機器用表示灯が点滅して、他機器が接続されている場合には他機器用表示灯が点灯するので、他機器の使用状況を表示しつつ、ナースコール子機や他機器からの呼び出しを区別することができる。また、特定のスペースに設置された専用のナースコール子機からの呼び出し時には、専用のナースコール子機が設置された病室領域内のすべての選局部の他機器用表示灯が点滅するので、他機器が使用されない場合でも他機器用表示灯を有効に活用することができる。
【図面の簡単な説明】
【００１３】
【図１】本実施形態によるナースコールシステムの構成例を示すブロック図である。
【図２】本実施形態によるナースコールシステムのナースコール親機の選局部の第一の表示例を示す図である。
【図３】本実施形態によるナースコールシステムのナースコール親機の選局部の第二の表示例を示す図である。
【図４】本実施形態によるナースコールシステムのナースコール親機の選局部の状態の例を示す図である。
【発明を実施するための形態】
【００１４】
以下、本発明の一実施形態を図面に基づいて説明する。図１は、本実施形態によるナースコールシステムの構成例を示すブロック図である。図１に示すナースコールシステムは、患者の病床近傍に設置され、同じ病室内に居る複数の患者によってそれぞれ使用されるナースコール子機１と、ナースコール子機１とともに設置され、患者の特定の状態を検出する他機器Ｔを接続するための他機器用接続端子５と、ナースコール子機１が設置された病室内の特定のスペースに設置される専用のナースコール子機１０と、医療従事者が常駐するナースセンタなどに設置され、医療従事者によって使用されるナースコール親機２０とを備えて構成されている。
【００１５】
ここで、ナースコール子機１は、各病室内に病室内の病床数に応じて設置されている。また、他機器用接続端子５に接続される他機器Ｔは、マットセンサーや、患者に異常が生じたことを検出するためのセンサーまたは医療機器などであり、患者の状態などにより必要に応じて使用される。また、専用のナースコール子機１０は、トイレや浴室などの特定のスペースが存在する病室に設置されており、病室内の患者によって適宜使用可能である。また、本実施形態では、複数のナースコール子機１および専用のナースコール子機１０が設置されている病室が少なくとも一部屋以上存在していることを必須要件としている。
【００１６】
ナースコール子機１は、子機制御部２、子機呼出操作部３、子機インターフェース４を備えて構成されている。また、他機器用接続端子５は、制御部６、インターフェース７を備えて構成されている。また、専用のナースコール子機１０は、専用子機制御部１１、専用子機呼出操作部１２、子機インターフェース１３を備えて構成されている。また、ナースコール親機２０は、親機制御部２１、親機インターフェース２２、記憶部２３、スピーカ２４、表示部２５、選局部２６、復旧操作部２７を備えて構成されている。
【００１７】
まず、ナースコール子機１の各構成要素について説明する。子機制御部２は、ナースコール子機１の各構成要素を後述するように制御するためのものであり、ＣＰＵ（Central Processing Unit）などにより構成されている。子機呼出操作部３は、患者が医療従事者を呼び出す際に操作するためのものであり、呼出ボタンなどにより構成されている。患者は、医療従事者を呼び出したい場合に、子機呼出操作部３を操作する。すると、子機制御部２は、子機呼出信号を生成する。ここで、子機呼出信号には、このナースコール子機１を他のナースコール子機１や他の専用のナースコール子機１０と区別するための子機識別情報が含まれる。また、子機識別情報としては、ベッド番号などの情報を用いる。
【００１８】
子機インターフェース４は、ナースコール子機１とナースコール親機２０とを接続して通信を行うためのものである。ここで、子機インターフェース４は、子機制御部２により生成された子機呼出信号をナースコール親機２０に出力する。また、ナースコール子機１とナースコール親機２０との間で通話が可能である場合に、子機インターフェース４は、ナースコール親機２０へ音声信号を送信し、ナースコール親機２０から音声信号を受信する。また、ナースコール子機１とナースコール親機２０との間の通信は、有線や無線によって行われる。
【００１９】
また、ナースコール子機１とナースコール親機２０との間には、ナースコール子機１からの呼び出しを表示したり、病室内の患者の氏名などを表示したりする図示しない廊下灯が接続されている。また、ナースコール子機１とナースコール親機２０との間には、ナースコール子機１およびナースコール親機２０間の通話やデータの送受信に関する制御を行う図示しない制御機が接続されている。
【００２０】
次に、他機器用接続端子５の各構成要素について説明する。制御部６は、他機器用接続端子５の各構成要素を後述するように制御するためのものであり、ＣＰＵなどにより構成されている。インターフェース７は、他機器Ｔを接続するためのものであり、他機器Ｔが患者の特定状態を検出した場合に出力される信号（例えば接点信号など）を入力する。また、インターフェース７は、他機器用接続端子５とナースコール親機２０とを接続して通信を行うためのものである。他機器Ｔが他機器用接続端子５に接続されると、制御部６は、他機器接続信号を生成する。この状態で、インターフェース７が他機器Ｔから出力された信号を入力すると、制御部６は他機器呼出信号を生成する。
【００２１】
ここで、他機器呼出信号には、他機器用接続端子５に接続された他機器Ｔからの呼び出しとナースコール子機１の呼び出しとを区別し、かつ、他の他機器用接続端子５と区別するための識別情報が含まれる。また、識別情報としては、ベッド番号を加工した情報などを用いる。これにより、ナースコール子機１から出力された呼出信号と他機器用接続端子５から出力された他機器呼出信号とが明確に区別されるとともに、同じ病床の近傍に設置されていることが判別可能となる。また、他機器接続信号にも識別情報が含まれる。
【００２２】
インターフェース７は、制御部６により生成された他機器接続信号および他機器呼出信号をナースコール親機２０に出力する。また、他機器用接続端子５に接続されていた他機器Ｔが取り外されると、制御部６は他機器接続信号の生成を停止する。ここで、他機器用接続端子５とナースコール親機２０との間の通信は、有線や無線によって行われる。また、他機器用接続端子５とナースコール親機２０との間には、ナースコール子機１と同様に図示しない廊下灯が接続されている。また、他機器用接続端子５とナースコール親機２０との間には、ナースコール子機１と同様に図示しない制御機が接続されている。
【００２３】
なお、本実施形態では、他機器用接続端子５への他機器Ｔの接続の有無を自動的に検出しているが、これに限定されない。例えば、後述するナースコール親機１０にて他機器Ｔが接続されている選局部２６を設定するようにしても良い。また、本実施形態では、制御部６が他機器接続信号を生成しているかいないかに応じて他機器用接続端子５に他機器Ｔが接続されているかいないかを判定しているが、これに限定されない。例えば、制御部６により生成される他機器接続信号により他機器用接続端子５に他機器Ｔが接続されていることを判定し、制御部６により生成される他機器切断信号により他機器用接続端子５から他機器Ｔが取り外されたことを判定するようにしても良い。
【００２４】
次に、専用のナースコール子機１０の各構成要素について説明する。専用子機制御部１１は、専用のナースコール子機１０の各構成要素を後述するように制御するためのものであり、ＣＰＵなどにより構成されている。専用子機呼出操作部１２は、トイレや浴室などの特定のスペースに居る患者が医療従事者を呼び出す際に操作するためのものであり、呼出ボタンなどにより構成されている。患者は、医療従事者を呼び出したい場合に、専用子機呼出操作部１２を操作する。すると、専用子機制御部１１は、専用子機呼出信号を生成する。ここで、専用子機呼出信号には、この専用のナースコール子機１０を他のナースコール子機１や他の専用のナースコール子機１０と区別するための専用子機識別情報が含まれる。また、専用子機識別情報としては、病室の部屋番号などの情報を用いる。
【００２５】
専用子機インターフェース１３は、専用のナースコール子機１０とナースコール親機２０とを接続して通信を行うためのものである。ここで、専用子機インターフェース１３は、専用子機制御部１１により生成された専用子機呼出信号をナースコール親機２０に出力する。また、専用のナースコール子機１０とナースコール親機２０との間で通話が可能である場合に、専用子機インターフェース１３は、ナースコール親機２０へ音声信号を送信し、ナースコール親機２０から音声信号を受信する。また、専用のナースコール子機１０とナースコール親機２０との間の通信は、有線や無線によって行われる。
【００２６】
また、専用のナースコール子機１０とナースコール親機２０との間には、ナースコール子機１と同様に図示しない廊下灯が接続されている。また、専用のナースコール子機１０とナースコール親機２０との間には、ナースコール子機１と同様に図示しない制御機が接続されている。
【００２７】
次に、ナースコール親機２０の各構成要素について説明する。親機制御部２１は、ナースコール親機２０の各構成要素を後述するように制御するためのものであり、ＣＰＵなどにより構成されている。親機インターフェース２２は、ナースコール親機２０とナースコール子機１、他機器用接続端子５および専用のナースコール子機１０とを接続して通信を行うためのものである。ここで、親機インターフェース２２は、ナースコール子機１から出力された子機呼出信号を入力したり、他機器用接続端子５から出力された他機器呼出信号を入力したり、他機器用接続端子５から出力された他機器接続信号を入力したり、専用のナースコール子機１０から出力された専用子機呼出信号を入力したりする。また、ナースコール子機１および専用のナースコール子機１０とナースコール親機１０との間で通話が可能である場合に、親機インターフェース２２は、ナースコール子機１や専用のナースコール子機１０へ音声信号を送信し、ナースコール子機１や専用のナースコール子機１０から音声信号を受信する。
【００２８】
記憶部２３は、メモリやハードディスクドライブなどの記憶装置により構成されており、ナースコール親機２０に接続されているナースコール子機１の子機識別情報（例えば、ベッド番号など）と患者を識別する患者識別情報（例えば、患者氏名など）とを関連付けて記憶している。また、記憶部２３は、ナースコール親機２０に接続されている他機器用接続端子５の識別情報（例えば、ベッド番号を加工した情報など）と他機器用接続端子５とともに設置されているナースコール子機１の子機識別情報とを関連付けて記憶している。また、記憶部２３は、ナースコール親機２０に接続されている専用のナースコール子機１０の専用子機識別情報（例えば、部屋番号など）と専用のナースコール子機１０が設置された病室に設置されているすべてのナースコール子機１の子機識別情報とを関連付けて記憶している。また、記憶部２３は、表示部２５に表示される画面の画像情報を記憶している。
【００２９】
スピーカ２４は、ナースコール子機１や他機器用接続端子５に接続された他機器Ｔ、専用のナースコール子機１０からの呼び出しを報知するためのものである。表示部２５は、液晶ディスプレイなどの表示装置により構成されており、ナースコール親機２０の近傍、または、ナースコール親機２０と一体的に設置される。また、表示部２５は、ナースコール子機１や他機器用接続端子５に接続された他機器Ｔ、専用のナースコール子機１０からの呼び出しを報知する。
【００３０】
選局部２６は、ベッド番号を表示するベッド番号表示欄Ｂと、ＬＥＤなどの呼出表示灯Ｌ１と、ＬＥＤなどの他機器用表示灯Ｌ２と、患者氏名を表示する氏名表示欄Ｎとを備えたものであり、複数の選局部２６を患者の数に応じて縦横に組み合わせ、表示部２５などを近傍に設置することによりボード形のナースコール親機２０を形成する。ここで、呼出表示灯Ｌ１および他機器用表示灯Ｌ２は、スピーカ２４の報知や表示部２５の報知と同期して点滅することにより、呼び出しがあったことを報知する。また、他機器用表示灯Ｌ２は、点灯することにより他機器用接続端子５に他機器Ｔが接続されていることを示す。また、選局部２６は、ベッド番号表示欄Ｂに記載されたベッド番号をナースコール子機１の子機識別情報に関連付けて設置されている。従って、一つの選局部２６が一人の患者を示すことになる。また、同じ病室に対応する選局部２６は、一つの病室領域として扱われ、枠線などで囲まれる。これにより、医療従事者は、同じ病室に対応する選局部２６を容易に判別することができる。
【００３１】
ここで、親機インターフェース２２が他機器用接続端子５から他機器接続信号を入力すると、親機制御部２１は、他機器接続信号に含まれる識別情報を取得し、記憶部に記憶されている識別情報の中から一致する識別情報を特定して、識別情報に関連付けて記憶されている子機識別情報を記憶部２３から読み出す。そして、親機制御部２１は、子機識別情報に対応する選局部２６の他機器用表示灯Ｌ２を点灯させる。これにより、他機器Ｔを接続している他機器用接続端子５を特定することができる。
【００３２】
例えば、図２（ａ）に示すように、ベッド番号１０１−１のナースコール子機１を「山田太郎」が使用しており、ベッド番号１０１−２のナースコール子機１を「田中一郎」が使用しており、ベッド番号１０１−３のナースコール子機１を「鈴木次郎」が使用しており、ベッド番号１０１−４のナースコール子機１を「佐藤三郎」が使用している場合に、ベッド番号１０１−１〜ベッド番号１０１−４のナースコール子機１が同じ病室に設置されているとする。そして、ベッド番号１０１−２の病床に設置されている他機器用接続端子５とベッド番号１０１−４の病床に設置されている他機器用接続端子５には、他機器Ｔが接続されているため、親機用制御部２１は、「田中一郎」のベッド番号１０１−２に対応する選局部２６の他機器用表示灯Ｌ２および「佐藤三郎」のベッド番号１０１−４に対応する選局部２６の他機器用表示灯Ｌ２を点灯させる。ここで、図中の塗りつぶされた部分は点灯状態を示している。
【００３３】
また、図２（ａ）に示す状態で、ベッド番号１０１−３のナースコール子機１を使用している「鈴木次郎」が子機呼出操作部３を操作して、医療従事者を呼び出したとする。親機インターフェース２２は、ナースコール子機１から子機呼出信号を入力し、親機制御部２１は、子機呼出信号に含まれる子機識別情報を取得し、記憶部２３に記憶されている子機識別情報の中から一致する子機識別情報を特定して、子機識別情報に関連付けて記憶されている患者識別情報を記憶部２３から読み出す。そして、親機制御部２１は、スピーカ２４を動作させ、表示部２５に呼び出しが行われていることおよび患者識別情報などを表示することで報知を行う。また、親機制御部２１は、子機識別情報に対応する選局部２６の呼出表示灯Ｌ１を点滅させることで報知を行う。従って、図２（ｂ）に示すように、親機制御部２１は、「鈴木次郎」のベッド番号１０１−３に対応する選局部２６の呼出表示灯Ｌ１を点滅させる。ここで、図中の斜線部分は点滅状態を示している。
【００３４】
また、図２（ａ）に示す状態で、ベッド番号１０１−２のナースコール子機１とともに設置されている他機器用接続端子５に接続された他機器Ｔが患者の特定の状態を検出したとする。親機インターフェース２２は、他機器用接続端子５から他機器呼出信号を入力すると、親機制御部２１は、他機器呼出信号に含まれる識別情報を取得し、記憶部に記憶されている識別情報の中から一致する識別情報を特定して、識別情報に関連付けて記憶されている子機識別情報を記憶部２３から読み出す。また、親機制御部２１は、記憶部２３に記憶されている子機識別情報の中から読み出した子機識別情報と一致する子機識別情報を特定して、子機識別情報に関連付けて記憶されている患者識別情報を記憶部２３から読み出す。そして、親機制御部２１は、スピーカ２４を動作させ、表示部２５に呼び出しが行われていることおよび患者識別情報などを表示することで報知を行う。また、親機制御部２１は、読み出した子機識別情報に対応する選局部２６の呼出表示灯Ｌ１および他機器用表示灯Ｌ２を点滅させることで報知を行う。従って、図３（ａ）に示すように、親機制御部２１は、「田中一郎」のベッド番号１０１−２に対応する選局部２６の呼出表示灯Ｌ１および他機器用表示灯Ｌ２を点滅させる。
【００３５】
また、図２（ａ）に示す状態で、親機インターフェース２２が専用のナースコール子機１０から専用子機呼出信号を入力すると、親機制御部２１は、専用子機呼出信号に含まれる専用子機識別情報を取得し、記憶部２３に記憶されている専用子機識別情報の中から一致する専用子機識別情報を特定して、専用子機識別情報に関連付けて記憶されているすべての子機識別情報を記憶部２３から読み出す。そして、親機制御部２１は、スピーカ２４を動作させ、表示部２５に呼び出しが行われていることおよび専用子機識別情報（部屋番号）などを表示することで報知を行う。また、親機制御部２１は、記憶部２３から読み出したすべての子機識別情報に対応する選局部２６の他機器用表示灯Ｌ２を点滅させることで報知を行う。
【００３６】
例えば、図３（ｂ）に示すように、ベッド番号１０１−１〜ベッド番号１０１−４のナースコール子機１が設置されている病室に設置されている専用のナースコール子機１０の専用子機呼出操作部１２を誰かが操作して医療従事者を呼び出した場合、親機制御部２１は、ベッド番号１０１−１〜ベッド番号１０１−４に対応するすべての選局部２６の他機器表示等Ｌ２を点滅させる。
【００３７】
復旧操作部２７は、ナースコール親機２０により呼び出しの発生が報知されている状態で（換言すると、スピーカ２４や表示部２５、選局部２６の呼出表示灯Ｌ１、選局部２６の他機器用表示灯Ｌ２により報知が行われている状態で）、呼び出しの発生の報知に気付いた医療従事者によって操作されるものであり、報知の動作を停止するためのものである。
【００３８】
このように、本実施形態によるナースコールシステムでは、ナースコール子機１からの呼び出し、他機器Ｔからの呼び出し、専用のナースコール子機１０からの呼び出しを、選局部２６に設けた呼出表示灯Ｌ１および他機器用表示灯Ｌ２の組み合わせにより表示している。また、他機器用接続端子５に他機器Ｔが接続されているか否かを選局部２６に設けた他機器用表示灯Ｌ２により表示している。この組み合わせを図４に示す。
【００３９】
第１のケースとして、ナースコール子機１からの呼び出しが「なし」、他機器Ｔからの呼び出しも「なし」、専用のナースコール子機１０からの呼び出しも「なし」であり、他機器用接続端子５に他機器Ｔが接続されていない場合には、呼出表示灯Ｌ１および他機器用表示灯Ｌ２はともに消灯状態である。
【００４０】
第２のケースとして、ナースコール子機１からの呼び出しが「なし」、他機器Ｔからの呼び出しも「なし」、専用のナースコール子機１０からの呼び出しも「なし」であり、他機器用接続端子５に他機器Ｔが接続されている場合には、呼出表示灯Ｌ１が消灯状態となり、他機器用表示灯Ｌ２が点灯状態となる。
【００４１】
第３のケースとして、ナースコール子機１からの呼び出しが「あり」、他機器Ｔからの呼び出しが「なし」、専用のナースコール子機１０からの呼び出しも「なし」であり、他機器用接続端子５に他機器Ｔが接続されていない場合には、呼出表示灯Ｌ１が点滅状態となり、他機器用表示灯Ｌ２が点灯状態となる。
【００４２】
第４のケースとして、ナースコール子機１からの呼び出しが「あり」、他機器Ｔからの呼び出しが「なし」、専用のナースコール子機１０からの呼び出しも「なし」であり、他機器用接続端子５に他機器Ｔが接続されている場合には、呼出表示灯Ｌ１が点滅状態となり、他機器用表示灯Ｌ２が消灯状態となる。
【００４３】
第５のケースとして、ナースコール子機１からの呼び出しが「なし」、他機器Ｔからの呼び出しが「あり」、専用のナースコール子機１０からの呼び出しが「なし」であり、他機器用接続端子５に他機器Ｔが接続されている場合には（他機器Ｔからの呼び出しがあるので、当然、他機器用接続端子５に他機器Ｔが接続されていると考えられる）、呼出表示灯Ｌ１および他機器用表示灯Ｌ２がともに点滅状態となる。
【００４４】
第６のケースとして、ナースコール子機１からの呼び出しが「なし」、他機器Ｔからの呼び出しも「なし」、専用のナースコール子機１０からの呼び出しが「あり」の場合には、接続端子５に他機器Ｔが接続されているかいないかによらず、呼出表示灯Ｌ１が消灯状態となり、同じ病室に設置されているナースコール子機１に対応するすべての選局部２６の他機器用表示灯Ｌ２が点滅状態となる。
【００４５】
なお、本実施形態では、同じ選局部２６において、ナースコール子機１からの呼び出しと、他機器Ｔからの呼び出しと、専用のナースコール子機１０からの呼び出しとの何れかが重複したケースが存在していないが、各呼び出しが重複した場合には、優先度の高い呼び出しにより呼出表示灯Ｌ１や他機器用表示灯Ｌ２を点滅させるようにすれば良い。
【００４６】
以上詳しく説明したように、本実施形態によれば、病室内の病床の近傍にナースコール子機１を設置し、患者の特定の状態を検出する他機器Ｔを接続するための他機器用接続端子５をナースコール子機１とともに設ける。そして、病床にそれぞれ対応する選局部２６に通常表示灯Ｌ１および他機器用表示灯Ｌ２を設け、縦および横の少なくとも一つの方向に並べて一つの病室領域を形成する。この状態で、ナースコール子機１からの呼び出しについては、対応する選局部２６の通常表示灯Ｌ１のみを点滅させ、他機器用接続端子５に接続された他機器Ｔからの呼び出しについては、対応する選局部２６の通常表示灯Ｌ１および他機器用表示灯Ｌ２を点滅させて、同じ病室内のトイレや浴室などの特定のスペースに設置された専用のナースコール子機１０からの呼び出しについては、病室領域内のすべての選局部２６の他機器用表示灯Ｌ２を点滅させるようにしている。また、呼び出しが行われていない状態で、他機器用接続端子５に他機器Ｔが接続されている場合には、対応する選局部２６の他機器用表示灯Ｌ２を点灯させるようにしている。
【００４７】
これにより、ナースコール子機１からの呼び出し時には通常表示灯Ｌ１が点滅し、他機器Ｔからの呼び出し時には通常表示灯Ｌ１および他機器用表示灯Ｌ２が点滅して、他機器Ｔが他機器用接続端子５に接続されている場合には他機器用表示灯Ｌ２が点灯するので、他機器Ｔの使用状況を表示しつつ、ナースコール子機１からの呼び出しと他機器Ｔからの呼び出しとを区別することができる。また、特定のスペースに設置された専用のナースコール子機１からの呼び出し時には、専用のナースコール子機１０が設置された病室領域内のすべての選局部２６の他機器用表示灯Ｌ２が点滅するので、他機器Ｔが使用されない場合でも他機器用表示灯Ｌ２を有効に活用することができる。
【００４８】
なお、前述した実施形態では、選局部２６を縦方向に並べて病室領域を形成しているが、これに限定されない。例えば、選局部２６を横方向に並べて病室領域を形成しても良いし、選局部２６を縦横に並べて病室領域を形成しても良い。
【００４９】
また、前述した実施形態では、選局部２６の呼出表示灯Ｌ１や他機器用表示灯Ｌ２、スピーカ２４、表示部２５により呼び出しの発生を報知しているが、これに限定されない。少なくとも、選局部２６の呼出表示灯Ｌ１および他機器用表示灯Ｌ２を用いて呼び出しの発生を報知すれば良い。
【００５０】
また、前述した実施形態では、専用のナースコール子機１０の専用子機制御部１１により生成される専用子機呼出信号に含まれる子機識別情報は部屋番号であるが、これに限定されない。例えば、専用子機呼出信号に含まれる子機識別情報は、専用のナースコール子機１０が設置されている部屋に設置されているすべてのナースコール子機１の子機識別情報（ベッド番号）であっても良い。
【００５１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５２】
１    ナースコール子機
２    子機制御部
３    子機呼出操作部
４    子機インターフェース
５    他機器用接続端子
６    制御部
７    インターフェース
Ｔ    他機器
１０    専用のナースコール子機
１１    専用子機制御部
１２    専用子機呼出操作部
１３    専用子機インターフェース
２０    ナースコール親機
２１    親機制御部
２２    親機インターフェース
２３    記憶部
２４    スピーカ
２５    表示部
２６    選局部
２７    復旧操作部
【図１】
2010233628.tif 000003
【図２】
2010233628.tif 000004
【図３】
2010233628.tif 000005
【図４】
2010233628.tif 000006